(57)【要約】【課題】外面部に複数の発光素子が配列配置されることにより生じる寸法の拡大が極めて小なるものに抑えられるケーブル接続アダプタ装置を得る。【解決手段】ケーブル端を成すプラグコネクタ（２４）が差し込まれるソケットコネクタ（２６）が複数個配列配置されて設けられるアダプタ本体部（２７）と、薄型発光素子（２９）が複数個配列配置されて固着されたプリント配線基板（２８）とを有し、プリント配線基板が、アダプタ本体部の外面部に、複数の薄型発光素子の各々に複数個のソケットコネクタのうちのいずれかに近接する位置をとらせる状態をもって接着されていて、複数の薄型発光素子の各々が、発光するときそれに対応するソケットコネクタについての指標となる。【選択図】図１
2007232960.tif 000002
【特許請求の範囲】
【請求項１】
ケーブル端を成すプラグコネクタが差し込まれるソケットコネクタが複数個配列配置されて設けられるアダプタ本体部と、配線部との電気的接続がなされる薄型発光素子が複数個配列配置されて固着されたプリント配線基板とを有し、
上記プリント配線基板が、上記アダプタ本体部の外面部に、上記複数の薄型発光素子の各々に上記複数個のソケットコネクタのうちのいずれかに近接する位置をとらせる状態をもって接着されていて、上記複数の薄型発光素子の各々が、発光するとき該薄型発光素子に対応するソケットコネクタについての指標となることを特徴とするケーブル接続アダプタ装置。
【請求項２】
上記プリント配線基板が、両面接着テープによって上記アダプタ本体部の外面部に接着されたものとされることを特徴とする請求項１記載のケーブル接続アダプタ装置。
【請求項３】
上記プリント配線基板が、該プリント配線基板における上記複数個の薄型発光素子が固着された面が、上記アダプタ本体部の外面部に接着されたものとされることを特徴とする請求項１または請求項２記載のケーブル接続アダプタ装置。
【請求項４】
上記アダプタ本体部が上記外面部に複数の溝部が形成されたものとされ、上記複数個の薄型発光素子が上記複数の溝部に夫々配されることを特徴とする請求項３記載のケーブル接続アダプタ装置。
【請求項５】
上記複数個の薄型発光素子が、発光色を異にするものを含んでいることを特徴とする請求項１から請求項４までのいずれかに記載のケーブル接続アダプタ装置。
【請求項６】
ケーブル端を成すプラグコネクタが差し込まれるソケットコネクタが複数個配列配置されて設けられるアダプタ本体部と、配線部との電気的接続がなされる薄型発光素子が複数個配列配置されて固着されたプリント配線基板とを有し、上記プリント配線基板が、上記アダプタ本体部の外面部に、上記複数個の薄型発光素子の各々に上記複数個のソケットコネクタのうちのいずれかに近接する位置をとらせる状態をもって接着されていて、上記複数個の薄型発光素子の各々が、発光するとき該薄型発光素子に対応するソケットコネクタについての指標となるものとされるケーブル接続アダプタ装置を複数個備え、
該複数個のケーブル接続アダプタ装置が、各々のソケットコネクタにおける開口部を同一方向に向けた状態をもって順次隣接配置されて構成される配線盤装置。
【請求項７】
上記複数個のケーブル接続アダプタ装置の夫々が、上記プリント配線基板が両面接着テープによって上記アダプタ本体部の外面部に接着されたものとされることを特徴とする請求項６記載の配線盤装置。
【請求項８】
上記複数個のケーブル接続アダプタ装置の夫々が、上記プリント配線基板における上記複数個の薄型発光素子が固着された面が、上記アダプタ本体部の外面部に接着されたものとされることを特徴とする請求項６または請求項７記載の配線盤装置。
【請求項９】
上記複数個のケーブル接続アダプタ装置の夫々が、上記アダプタ本体部の外面部に複数の溝部が形成され、上記複数の薄型発光素子が上記複数の溝部に夫々配されるものとされることを特徴とする請求項８記載の配線盤装置。
【請求項１０】
上記複数個のケーブル接続アダプタ装置の夫々における上記複数個の薄型発光素子が、発光色を異にするものを含んでいることを特徴とする請求項６から請求項９までのいずれかに記載の配線盤装置。
【請求項１１】
ケーブル端を成すプラグコネクタが差し込まれるソケットコネクタが複数個配列配置されて設けられるアダプタ本体部と、配線部との電気的接続がなされる薄型発光素子が複数個配列配置されて固着されたプリント配線基板とを有し、上記プリント配線基板が、上記アダプタ本体部の外面部に、上記複数個の薄型発光素子の各々に上記複数個のソケットコネクタのうちのいずれかに近接する位置をとらせる状態をもって接着されていて、上記複数個の薄型発光素子の各々が、発光するとき該薄型発光素子に対応するソケットコネクタについての指標となるものとされる第１のケーブル接続アダプタ装置と、ケーブル端を成すプラグコネクタが差し込まれるソケットコネクタが複数個配列配置されて設けられたものとされるアダプタ本体部を有した複数個の第２のケーブル接続アダプタ装置とを備え、
上記第１のケーブル接続アダプタ装置と上記複数個の第２のケーブル接続アダプタ装置とが、各々のソケットコネクタにおける開口部を同一方向に向けた状態をもって順次隣接配置されて構成され、
上記第１のケーブル接続アダプタ装置及び上記複数個の第２のケーブル接続アダプタ装置の夫々におけるアダプタ本体部の外面部に発光素子が配され、該発光素子が、上記複数個の薄型発光素子の配列方向に実質的に直交する方向の配列を形成するもとで、発光するとき該発光素子が設けられた第１のケーブル接続アダプタ装置もしくは第２のケーブル接続アダプタ装置についての指標となることを特徴とする配線盤装置。
【請求項１２】
上記第１のケーブル接続アダプタ装置が、上記プリント配線基板が両面接着テープによって上記アダプタ本体部の外面部に接着されたものとされることを特徴とする請求項１１記載の配線盤装置。
【請求項１３】
上記第１のケーブル接続アダプタ装置が、上記プリント配線基板における上記複数個の薄型発光素子が固着された面が、上記アダプタ本体部の外面部に接着されたものとされることを特徴とする請求項１１または請求項１２記載の配線盤装置。
【請求項１４】
上記第１のケーブル接続アダプタ装置が、上記アダプタ本体部の外面部に複数の溝部が形成され、上記複数の薄型発光素子が上記複数の溝部に夫々配されるものとされることを特徴とする請求項１３記載の配線盤装置。
【請求項１５】
上記第１のケーブル接続アダプタ装置における上記複数個の薄型発光素子が、発光色を異にするものを含んでいることを特徴とする請求項１１から請求項１４までのいずれかに記載の配線盤装置。
【請求項１６】
上記複数個の第２のケーブル接続アダプタ装置に夫々に配された複数個の上記発光素子が、発光色を異にするものを含んでいることを特徴とする請求項１１から請求項１５までのいずれかに記載の配線盤装置。
【発明の詳細な説明】
【技術分野】
【０００１】
本願の特許請求の範囲に記載された発明は、光通信ケーブル等のケーブルの端部を成すプラグコネクタが差し込まれるソケットコネクタを複数個備えたものとされるケーブル接続アダプタ装置、及び、そのケーブル接続アダプタ装置を用いて構成される配線盤装置に関する。
【背景技術】
【０００２】
情報通信は様々な態様の信号が用いられて行われるが、例えば、光信号が用いられる場合には、その光信号の伝送に光通信ケーブルが使用される。このような情報通信に使用される光通信ケーブルは、その使用目的，使用態様等に応じて、光通信ケーブル同士の接続，光通信ケーブルと通信機器との接続等々の接続が行われるものとされる。
【０００３】
光通信ケーブルの接続にあたっては、光通信ケーブルの端部に取り付けられるプラグコネクタとそのプラグコネクタが差し込まれるソケットコネクタとが用いられる。即ち、光通信ケーブルの端部に取り付けられることにより光通信ケーブルの端部を成すプラグコネクタが、別途に設けられたソケットコネクタに差し込まれることによって、光通信ケーブルの接続が行われるのである。
【０００４】
このようなもとで、電話回線交換に光通信ケーブルが使用される場合等において、多数の光通信ケーブルについての集中的な接続が必要とされる状況が生じる。斯かる際には、各々が光通信ケーブルの端部を成すプラグコネクタが差し込まれるものとされる多数のソケットコネクタが集められて配置された配線盤が用意され、その配線盤において多数の光通信ケーブルについての集中的な接続が行われる。
【０００５】
多数のソケットコネクタを備えた配線盤が用いられて光通信ケーブルの接続が行われる場合には、接続に供される光通信ケーブルのうちの一つが特定されると、配線盤における多数のソケットコネクタのうちの当該光通信ケーブルに対応すべきものが定められ、その対応するソケットコネクタに当該光通信ケーブルの端部を成すプラグコネクタが差し込まれる。このような配線盤を用いた光通信ケーブルの接続を行う作業は、各光通信ケーブルの接続が必要とされる都度、多数のソケットコネクタのうちから特定された光通信ケーブルに対応するものを確定して、確定されたソケットコネクタに特定された光通信ケーブルの端部を成すプラグコネクタを間違いなく差し込むにあたり、細心の注意と多大な労力及び時間とが要されるものとなり、接続に供される光通信ケーブルが多数であることからしてその負担が極めて大なるものとなる。
【０００６】
このようなもとで、配線盤を用いた光通信ケーブルの接続に要される作業負担の軽減を図るべく、配線盤における各ソケットコネクタの近傍に発光器を設け、接続されるべき光通信ケーブルが特定されると、その光通信ケーブルに対応するソケットコネクタの近傍に配された発光器を点灯させて、当該対応するソケットコネクタを識別可能に明示し、それにより、特定された光通信ケーブルの端部を成すプラグコネクタを対応するソケットコネクタに差し込む作業を迅速かつ間違いなく行えるようにすることを目指した、コネクタ識別システムが提案されている（例えば、特許文献１参照。）。
【０００７】
上述の従来提案されているコネクタ識別システムは、多数のソケットコネクタが配列配置され、それらの夫々の近傍に発光器が配されて構成された配線盤と、各発光器の動作制御を行う発光器制御部と、光通信ケーブルに関する情報を入力できる配線情報入力手段と、発光器制御部及び配線情報入力手段に接続された配線管理制御部とを備えて構成される。そして、配線盤に接続されるべく特定された光通信ケーブルに関する情報が配線情報入力手段から入力されると、配線管理制御部が配線盤における多数のソケットコネクタのうちの特定された光通信ケーブルに対応するものを選定して、選定されたソケットコネクタの近傍に配された発光器を点灯させるべく発光器制御部を制御し、発光器制御部が、特定された光通信ケーブルに対応するソケットコネクタの近傍に配された発光器を駆動して点灯させる。その結果、配線盤に接続されるべく特定された光通信ケーブルについて、その端部を成すプラグコネクタが差し込まれるべき対応するソケットコネクタが識別可能に明示される。
【０００８】
上述のような多数の光通信ケーブルについての集中的な接続がなされる多数のソケットコネクタを備えた配線盤は、実際には、例えば、図８に示されるような、複数のソケットコネクタ１１が配列配置されて設けられるものとして形成されるケーブル接続アダプタ装置１２が用いられるものとされ、図９に示されるように、複数のケーブル接続アダプタ装置１２が、各々のソケットコネクタ１１における開口部を同一方向に向けた状態をもって順次隣接配置されることにより配線盤１３が構成される。
【０００９】
配線盤１３にあっては、一般に、占有スペースを必要最小限のものとするため、多数のソケットコネクタ１１が高密度に配列配置されたものとされることが要求される。そして、多数のソケットコネクタ１１の高密度配列配置を実現させるべく、実際のケーブル接続アダプタ装置１２及び配線盤１３の寸法は、例えば、各ケーブル接続アダプタ装置１２の幅寸法Ｗが９．８ｍｍとされ、配線盤１３における複数のケーブル接続アダプタ装置１２の配列ピッチＰが１１ｍｍとされる。従って、この場合には、配線盤１３における複数のケーブル接続アダプタ装置１２のうちの相互隣接する２個の間の間隙は、１１−９．８＝１．２ｍｍという極めて狭いものとされる。
【００１０】
このような実際の例のように、配列配置された複数のソケットコネクタを有するケーブル接続アダプタ装置の複数個が順次隣接配置されて構成され、多数のソケットコネクタの高密度配列配置を実現させる配線盤は、一般に、それを構成する複数個のケーブル接続アダプタ装置のうちの相互隣接する２個の間の間隙が極めて狭いものとされるのである。
【００１１】
【特許文献１】特開平１１ー２３４７１０号公報（第２，３頁、図３）
【発明の開示】
【発明が解決しようとする課題】
【００１２】
上述のような配列配置された複数のソケットコネクタを有するケーブル接続アダプタ装置の複数個が順次隣接配置されて構成され、多数のソケットコネクタの高密度配列配置を実現させる配線盤にあっては、前述の従来提案されているコネクタ識別システムに見られるような各ソケットコネクタの近傍に設けられる発光素子を備え、それによって特定された光通信ケーブルの端部を成すプラグコネクタが差し込まれるべき、当該光通信ケーブルに対応するソケットコネクタが、識別可能に明示されるものとされることが、多数のソケットコネクタが高密度に配列配置されていることからして格別に望まれるところとなる。ところが、斯かる配線盤は、それを構成する複数個のケーブル接続アダプタ装置のうちの相互隣接する２個の間の間隙が極めて狭いものとされるので、複数個のケーブル接続アダプタ装置の夫々が有する複数のソケットコネクタの各々の近傍に発光素子を配することが著しく困難とされる。
【００１３】
即ち、複数個のケーブル接続アダプタ装置の夫々が有する複数のソケットコネクタの各々の近傍に発光素子を配するにあたっては、複数個のケーブル接続アダプタ装置の夫々の外面部に、複数の発光素子を、複数のソケットコネクタに夫々対応するようにして、複数のソケットコネクタの配列方向に沿って配列配置して設け、それらを当該ケーブル接続アダプタ装置とそれに隣接するケーブル接続アダプタ装置との間に位置させることが要されるのであるが、それが困難とされる。なぜなら、複数の発光素子を、複数のソケットコネクタの配列方向に沿って配列配置して設け、それらを当該ケーブル接続アダプタ装置とそれに隣接するケーブル接続アダプタ装置との間に位置させることは、各ケーブル接続アダプタ装置の外面部に複数の発光素子が配列配置されることにより生じる各ケーブル接続アダプタ装置についての寸法の拡大を、複数個のケーブル接続アダプタ装置のうちの相互隣接する２個の間の間隙内で吸収されるようになすことを意味するが、複数個のケーブル接続アダプタ装置のうちの相互隣接する２個の間の間隙が極めて狭いものであるので、各ケーブル接続アダプタ装置の外面部に複数の発光素子を配列配置されることにより生じる各ケーブル接続アダプタ装置についての寸法の拡大を、極めて小なるものに抑えなければならないところに難点が生じるからである。
【００１４】
実際に、従来にあっては、配列配置された複数のソケットコネクタを有するケーブル接続アダプタ装置の複数個が順次隣接配置されて構成され、多数のソケットコネクタの高密度配列配置を実現させる配線盤であって、特定された光通信ケーブルの端部を成すプラグコネクタが差し込まれるべき、当該光通信ケーブルに対応するソケットコネクタを識別可能に明示する発光素子を備えたものが望まれているにも関わらず、例えば、複数個が順次隣接配置されることにより、斯かる配線盤を構成することができる、外面部に複数の発光素子を配列配置されることにより生じる寸法の拡大が極めて小なるものに抑えられるケーブル接続アダプタ装置は見当たらない。そして、配列配置された複数のソケットコネクタを有するケーブル接続アダプタ装置の複数個が順次隣接配置されて構成され、多数のソケットコネクタの高密度配列配置を実現させる配線盤であって、特定された光通信ケーブルの端部を成すプラグコネクタが差し込まれるべき、当該光通信ケーブルに対応するソケットコネクタが、発光素子により識別可能に明示されることになるものも見当たらない。
【００１５】
斯かる点に鑑み、本願の特許請求の範囲に記載された発明は、多数のソケットコネクタの高密度配列配置を実現させる配線盤であって、特定された光通信ケーブルの端部を成すプラグコネクタが差し込まれるべき、当該光通信ケーブルに対応するソケットコネクタを識別可能に明示する発光素子を備えたものを構成することができる、外面部に複数の発光素子が配列配置されることにより生じる寸法の拡大が極めて小なるものに抑えられるケーブル接続アダプタ装置、さらには、それが用いられて構成される、多数のソケットコネクタの高密度配列配置が実現され、特定された光通信ケーブルの端部を成すプラグコネクタが差し込まれるべき、当該光通信ケーブルに対応するソケットコネクタが、発光素子により識別可能に明示されることになる配線盤装置を提供する。
【課題を解決するための手段】
【００１６】
本願の特許請求の範囲における請求項１から請求項５までのいずれかに記載された発明（以下、本願発明の第１の態様という。）に係るケーブル接続アダプタ装置は、ケーブル端を成すプラグコネクタが差し込まれるソケットコネクタが複数個配列配置されて設けられるアダプタ本体部と、配線部との電気的接続がなされる薄型発光素子が複数個配列配置されて固着されたプリント配線基板とを有し、プリント配線基板が、アダプタ本体部の外面部に、複数の薄型発光素子の各々に複数個のソケットコネクタのうちのいずれかに近接する位置をとらせる状態をもって接着されていて、複数の薄型発光素子の各々が、発光するときそれに対応するソケットコネクタについての指標となるものとされて、構成される。
【００１７】
また、本願の特許請求の範囲における請求項６から請求項１０までのいずれかに記載された発明（以下、本願発明の第２の態様という。）に係る配線盤装置は、ケーブル端を成すプラグコネクタが差し込まれるソケットコネクタが複数個配列配置されて設けられるアダプタ本体部と、配線部との電気的接続がなされる薄型発光素子が複数個配列配置されて固着されたプリント配線基板とを有し、プリント配線基板が、アダプタ本体部の外面部に、複数個の薄型発光素子の各々に複数個のソケットコネクタのうちのいずれかに近接する位置をとらせる状態をもって接着されていて、複数個の薄型発光素子の各々が、発光するときそれに対応するソケットコネクタについての指標となるものとされるケーブル接続アダプタ装置を複数個備え、それら複数個のケーブル接続アダプタ装置が、各々のソケットコネクタにおける開口部を同一方向に向けた状態をもって順次隣接配置されて、構成される。
【００１８】
さらに、本願の特許請求の範囲における請求項１１から請求項１６までのいずれかに記載された発明（以下、本願発明の第３の態様という。）に係る配線盤装置は、ケーブル端を成すプラグコネクタが差し込まれるソケットコネクタが複数個配列配置されて設けられるアダプタ本体部と、配線部との電気的接続がなされる薄型発光素子が複数個配列配置されて固着されたプリント配線基板とを有し、プリント配線基板が、アダプタ本体部の外面部に、複数個の薄型発光素子の各々に複数個のソケットコネクタのうちのいずれかに近接する位置をとらせる状態をもって接着されていて、複数個の薄型発光素子の各々が、発光するときそれに対応するソケットコネクタについての指標となるものとされる第１のケーブル接続アダプタ装置と、ケーブル端を成すプラグコネクタが差し込まれるソケットコネクタが複数個配列配置されて設けられたものとされるアダプタ本体部を有した複数個の第２のケーブル接続アダプタ装置とを備え、第１のケーブル接続アダプタ装置と複数個の第２のケーブル接続アダプタ装置とが、各々のソケットコネクタにおける開口部を同一方向に向けた状態をもって順次隣接配置されて構成され、第１のケーブル接続アダプタ装置及び複数個の第２のケーブル接続アダプタ装置の夫々におけるアダプタ本体部の外面部に発光素子が配され、その発光素子が、複数個の薄型発光素子の配列方向に実質的に直交する方向の配列を形成するもとで、発光するときそれが設けられた第１のケーブル接続アダプタ装置もしくは第２のケーブル接続アダプタ装置についての指標となるものとされて、構成される。
【００１９】
前述のように構成される本願発明の第１の態様に係るケーブル接続アダプタ装置にあっては、プリント配線基板に設けられた配線部との電気的接続がなされる薄型発光素子が発光素子として用いられ、その薄型発光素子が複数個配列配置されて固着されたプリント配線基板が、ケーブル端を成すプラグコネクタが差し込まれるソケットコネクタが複数個配列配置されて設けられるアダプタ本体部の外面部に、複数個の薄型発光素子の各々に複数個のソケットコネクタのうちのいずれかに近接する位置をとらせる状態をもって接着された構造がとられる。そして、複数個の薄型発光素子の各々が、発光するときそれに対応するソケットコネクタを識別可能に明示する、当該ソケットコネクタについての指標となる。
【００２０】
薄型発光素子が複数個配列配置されて固着されたプリント配線基板の、ソケットコネクタが複数個配列配置されて設けられるアダプタ本体部の外面部への接着は、例えば、プリント配線基板における複数個の薄型発光素子が固着された面が、例えば、両面接着テープによってなされる。
【００２１】
また、本願発明の第２の態様に係る配線盤装置にあっては、上述の本願発明の第１の態様に係るケーブル接続アダプタ装置が複数個用いられ、それらが各々のアダプタ本体部に設けられた複数個のソケットコネクタにおける夫々の開口部を同一方向に向けた状態をもって順次隣接配置されて成る構造がとられる。それにより、複数個のケーブル接続アダプタ装置の夫々に設けられている複数個のソケットコネクタにより、複数のソケットコネクタの高密度配列配置が形成される。
【００２２】
そして、端部に配される１個を除く複数のケーブル接続アダプタ装置の夫々が有するアダプタ本体部の外面部に接着されたプリント配線基板、及び、それに配列配置されて固着された複数個の薄型発光素子が、複数個のケーブル接続アダプタ装置のうちの相互隣接する２個の間の間隙内に納められる。それにより、複数のケーブル接続アダプタ装置の夫々に設けられた複数個の薄型発光素子の各々が、高密度配列配置された複数のソケットコネクタのいずれかに近接する位置をとるものとされ、発光するとき高密度配列配置された複数のソケットコネクタのうちのそれに対応するソケットコネクタを識別可能に明示する、当該ソケットコネクタについての指標となる。
【００２３】
さらに、本願発明の第３の態様に係る配線盤装置にあっては、上述の本願発明の第１の態様に係るケーブル接続アダプタ装置が第１のケーブル接続アダプタ装置として用いられるとともに、ケーブル端を成すプラグコネクタが差し込まれるソケットコネクタが複数個配列配置されて設けられたものとされるアダプタ本体部を有した第２のケーブル接続アダプタ装置が複数個用いられ、第１のケーブル接続アダプタ装置と複数個の第２のケーブル接続アダプタ装置とが、各々のアダプタ本体部に設けられた複数個のソケットコネクタにおける夫々の開口部を同一方向に向けた状態をもって順次隣接配置されて成る構造がとられる。そして、第１のケーブル接続アダプタ装置及び複数個の第２のケーブル接続アダプタ装置の夫々におけるアダプタ本体部の外面部に発光素子が配され、その発光素子が、第１のケーブル接続アダプタ装置に設けられた複数個の薄型発光素子の配列方向に実質的に直交する方向の配列を形成する。
【００２４】
このようなもとで、第１のケーブル接続アダプタ装置及び複数個の第２のケーブル接続アダプタ装置の夫々に設けられている複数個のソケットコネクタにより、複数のソケットコネクタの高密度配列配置が形成される。そして、第１のケーブル接続アダプタ装置に設けられた複数個の薄型発光素子の夫々が、発光するとき、第１のケーブル接続アダプタ装置及び複数個の第２のケーブル接続アダプタ装置の配列方向におけるソケットコネクタ列を識別可能に明示する、そのソケットコネクタ列についての指標となり、また、第１のケーブル接続アダプタ装置及び複数個の第２のケーブル接続アダプタ装置の夫々におけるアダプタ本体部の外面部に配された発光素子が、発光するとき、それが設けられた第１のケーブル接続アダプタ装置もしくは第２のケーブル接続アダプタ装置を識別可能に明示する、その第１のケーブル接続アダプタ装置もしくは第２のケーブル接続アダプタ装置についての指標となる。その結果、第１のケーブル接続アダプタ装置に設けられた複数個の薄型発光素子の夫々及び第１のケーブル接続アダプタ装置及び複数個の第２のケーブル接続アダプタ装置の夫々に設けられた発光素子が、発光するとき高密度配列配置された複数のソケットコネクタのうちの両者に対応するものを識別可能に明示する、当該ソケットコネクタについての指標となる。
【発明の効果】
【００２５】
前述の本願発明の第１の態様に係るケーブル接続アダプタ装置によれば、複数個のソケットコネクタが配列配置されて設けられるアダプタ本体部の外面部に、複数個の薄型発光素子が配列配置されて固着されたプリント配線基板が接着されて構成されることにより、発光するときそれに対応するソケットコネクタについての指標となる複数個の薄型発光素子がアダプタ本体部の外面部に配列配置されることにより生じる寸法の拡大が、極めて小なるものに抑えられる。
【００２６】
それゆえ、本願発明の第１の態様に係るケーブル接続アダプタ装置は、アダプタ本体部と複数個の薄型発光素子が配列配置されて固着されたプリント配線基板とを含んだ全体の幅寸法が、アダプタ本体部の幅寸法より僅かに大であるものに止められるものとなる。従って、本願発明の第１の態様に係るケーブル接続アダプタ装置の複数個を、各々のアダプタ本体部に設けられた複数個のソケットコネクタにおける夫々の開口部を同一方向に向けた状態をもって、夫々の幅方向に順次隣接配置することにより、多数のソケットコネクタの高密度配列配置を実現させる配線盤であって、特定されたケーブルの端部を成すプラグコネクタが差し込まれるべき、当該ケーブルに対応するソケットコネクタを識別可能に明示する発光素子を備えたものを構成することができることになる。
【００２７】
また、本願発明の第２の態様に係る配線盤装置は、上述の本願発明の第１の態様に係るケーブル接続アダプタ装置が複数個用いられ、それらが各々のアダプタ本体部に設けられた複数個のソケットコネクタにおける夫々の開口部を同一方向に向けた状態をもって順次隣接配置されて構成されることにより、多数のソケットコネクタの高密度配列配置が実現され、しかも、特定されたケーブルの端部を成すプラグコネクタが差し込まれるべき、当該ケーブルに対応するソケットコネクタが、複数の本願発明の第１の態様に係るケーブル接続アダプタ装置の夫々に配列配置された複数個の薄型発光素子のいずれかにより、識別可能に明示されるものとなる。その結果、本願発明の第２の態様に係る配線盤装置によれば、特定されたケーブルの端部を成すプラグコネクタを、高密度配列配置された多数のソケットコネクタのうちの対応するものに差し込む作業を、迅速かつ間違いなく行えることになる。
【００２８】
さらに、本願発明の第３の態様に係る配線盤装置は、上述の本願発明の第１の態様に係るケーブル接続アダプタ装置である第１のケーブル接続アダプタ装置と、ケーブル端を成すプラグコネクタが差し込まれるソケットコネクタが複数個配列配置されて設けられたものとされるアダプタ本体部を有した第２のケーブル接続アダプタ装置の複数個とが、各々のアダプタ本体部に設けられた複数個のソケットコネクタにおける夫々の開口部を同一方向に向けた状態をもって順次隣接配置されて構成されるとともに、第１のケーブル接続アダプタ装置及び複数個の第２のケーブル接続アダプタ装置の夫々に、第１のケーブル接続アダプタ装置に設けられた複数個の薄型発光素子の配列方向に実質的に直交する方向の配列を形成するものとなる発光素子が設けられることにより、多数のソケットコネクタの高密度配列配置が実現され、しかも、特定されたケーブルの端部を成すプラグコネクタが差し込まれるべき当該ケーブルに対応するソケットコネクタが、第１のケーブル接続アダプタ装置に配列配置された複数個の薄型発光素子のいずれか、及び、第１のケーブル接続アダプタ装置及び複数個の第２のケーブル接続アダプタ装置の夫々に設けられた発光素子のいずれかにより、識別可能に明示されるものとなる。その結果、本願発明の第３の態様に係る配線盤装置によれば、特定されたケーブルの端部を成すプラグコネクタを、高密度配列配置された多数のソケットコネクタのうちの対応するものに差し込む作業を、迅速かつ間違いなく行えることになる。
【発明を実施するための最良の形態】
【００２９】
本願発明を実施するための最良の形態は、以下に述べられる本願発明についての実施例をもって説明される。
【実施例１】
【００３０】
図１は、本願発明の第１の態様に係るケーブル接続アダプタ装置の一例を、それに接続されるケーブルの一例と共に示す。
【００３１】
図１に示される本願発明の第１の態様に係るケーブル接続アダプタ装置の一例であるケーブル接続アダプタ装置２１は、それに接続されるケーブルが光通信ケーブル２２とされるものとなされている。光通信ケーブル２２は、ケーブル本体２３とその端部に取り付けられたプラグコネクタ２４とを備えている。プラグコネクタ２４は、ケーブル接続アダプタ装置２１に係合する光通信ケーブル２２の端部を成していて、その先端から光ファイバを内蔵したケーブル芯部２５が突出している。
【００３２】
ケーブル接続アダプタ装置２１は、光通信ケーブル２２のプラグコネクタ２４が差し込まれるソケットコネクタ２６が、複数個、例えば、１６個、一列を成すように配列配置されて設けられたアダプタ本体部２７と、それに取り付けられたプリント配線基板２８とを有している。アダプタ本体部２７に設けられた複数個のソケットコネクタ２６の夫々は、矩形状の開口部を有しており、また、その内部に、それに差し込まれた光通信ケーブル２２のプラグコネクタ２４の先端から突出するケーブル芯部２５が係合する係合部（図示されていない）が設けられている。
【００３３】
図１における領域αを拡大してあらわす図２に示されるように、プリント配線基板２８には、複数個、例えば、１６個の薄型発光素子２９が、一列を成すように配列配置されて固着されている。そして、複数個の薄型発光素子２９の各々は、アダプタ本体部２７に設けられた複数個のソケットコネクタ２６のうちの対応するものに近接する位置をとる状態におかれている。即ち、複数個のソケットコネクタ２６の夫々の近傍に複数個の薄型発光素子２９のうちの一つが位置しているのである。
【００３４】
プリント配線基板２８に固着された複数個の薄型発光素子２９の夫々は、プリント配線基板２８に設けられた配線部（図示されていない）に、例えば、半田付けされて、配線部との電気的接続がなされるとともにプリント配線基板２８への固定がなされており、その配線部は、プリント配線基板２８の端子部３０に導出されている。端子部３０は、外部、例えば、複数個の薄型発光素子２９の動作制御を行うための制御基板との電気的接続に供される。
【００３５】
図３に示されるように、アダプタ本体部２７は、それに設けられた複数個のソケットコネクタ２６が密に配列されて一列を成すものとされており、全体が直方体状に形成されている。複数個のソケットコネクタ２６の配列方向を高さ方向、それに直交する方向を幅方向とすると、高さ寸法に比して幅寸法が小であって、図３に示される幅寸法ｗは、例えば、９．８ｍｍとされる。
【００３６】
アダプタ本体部２７の外面部２７ａには、複数個のソケットコネクタ２６の配列方向、即ち、高さ方向に沿って配列配置された複数個の溝部３１が形成されている。これら複数個の溝部３１は、複数個のソケットコネクタ２６に夫々対応するものとされ、各々が対応するソケットコネクタ２６に近接する位置をとるものとされている。
【００３７】
複数個の薄型発光素子２９が配列配置されて固着されたプリント配線基板２８は、例えば、多層プリント配線基板の作製に用いられるコア材を利用して形成され、極めて薄いものとされている。図３における領域βを拡大してあらわす図４に示されるプリント配線基板２８の厚みｔは、例えば、０．３ｍｍとされる。
【００３８】
また、プリント配線基板２８に固着される複数個の薄型発光素子２９の夫々は、例えば、実装方向に対して横方向に光束を放出する発光ダイオードとされ、図４に示されるプリント配線基板２８に対する高さ寸法ｈが、例えば、０．６ｍｍとされる、極めて薄い（高さが極めて低い）ものとされている。それゆえ、固着された複数個の薄型発光素子２９を含めたプリント配線基板２８の全体の厚みは、例えば、０．３＋０．６＝０．９ｍｍであって、１. ０ｍｍ未満に納められることになる。
【００３９】
このような複数個の薄型発光素子２９が配列配置されて固着されたプリント配線基板２８の、複数個のソケットコネクタ２６が配列配置されて設けられたアダプタ本体部２７への取付けには、例えば、図１において破線をもって示され、図３において実線をもって示されている、厚みが０．２ｍｍ程度とされる極めて薄い両面接着テープ３２が用いられる。そして、プリント配線基板２８における複数個の薄型発光素子２９が固着された面が、アダプタ本体部２７における複数個の溝部３１が形成された外面部２７ａに、両面接着テープ３２によって接着されることにより、プリント配線基板２８がアダプタ本体部２７に取り付けられる。
【００４０】
その際、アダプタ本体部２７とプリント配線基板２８との配置関係を拡大してあらわす図５に示されるように、プリント配線基板２８に固着された複数個の薄型発光素子２９がアダプタ本体部２７の外面部２７ａに形成された複数個の溝部３１に夫々対応する位置をとるものとされ、プリント配線基板２８における複数個の薄型発光素子２９が固着された面が、アダプタ本体部２７における複数個の溝部３１が形成された外面部２７ａに接着されたとき、複数個の薄型発光素子２９が複数個の溝部３１に夫々配されるものとされる。即ち、複数個の薄型発光素子２９の各々は、それに対応する溝部３１に配されて、複数個のソケットコネクタ２６のうちの対応するものに近接する位置をとる状態におかれるのである。
【００４１】
このようにして、複数個のソケットコネクタ２６のうちの対応するものに近傍する位置をとる複数個の薄型発光素子２９の各々は、発光するとき、それに対応するソケットコネクタ２６を識別可能に明示して、当該ソケットコネクタ２６についての指標となる。斯かる複数個の薄型発光素子２９は、発光色を異にするものを含んだものとされてもよく、その際には、例えば、複数個のソケットコネクタ２６のうちの奇数番目のものに夫々対応する薄型発光素子２９と複数個のソケットコネクタ２６のうちの偶数番目のものに夫々対応する薄型発光素子２９とが、発光色を互いに異にするものとされる。
【００４２】
また、複数個のソケットコネクタ２６が配列配置されて設けられたアダプタ本体部２７の外面部２７ａに、複数個の薄型発光素子２９が配列配置されて固着されたプリント配線基板２８が取り付けられて成るケーブル接続アダプタ装置２１は、アダプタ本体部２７の外面部２７ａに複数個の薄型発光素子２９が固着されたプリント配線基板２８が取り付けられることにより生じる寸法の拡大が、例えば、両面接着テープ３２の厚みを０．２ｍｍとして、例えば、０．２＋０．９＝１．１ｍｍとされる、極めて小なるものに抑えられる。また、ケーブル接続アダプタ装置２１は、アダプタ本体部２７の幅方向に沿う方向の寸法、即ち、ケーブル接続アダプタ装置２１全体の幅寸法が、例えば、両面接着テープ３２の厚みを０．２ｍｍとして、例えば、９．８＋０．２＋０．９＝１０．９ｍｍとされるものとなる。
【００４３】
上述のようにして構成されているケーブル接続アダプタ装置２１は、プリント配線基板２８の端子部３０が、例えば、複数個の薄型発光素子２９の動作制御を行うための制御基板に電気的に接続されて使用される。そして、使用状態のもとで、それに接続されるべき光通信ケーブル２２が特定されると、複数個のソケットコネクタ２６のうちの、その特定された光通信ケーブル２２の端部を成すプラグコネクタ２４が差し込まれるべき、当該光通信ケーブル２２に対応するものが定められ、その定められた対応するソケットコネクタ２６に近接する位置をとる薄型発光素子２９が発光せしめられる。それにより、特定された光通信ケーブル２２の端部を成すプラグコネクタ２４が差し込まれるべきソケットコネクタ２６が、それに近接する位置をとる薄型発光素子２９によって識別可能に明示され、当該薄型発光素子２９が、それに対応するソケットコネクタ２６、即ち、特定された光通信ケーブル２２の端部を成すプラグコネクタ２４が差し込まれるべきソケットコネクタ２６についての指標となる。
【００４４】
なお、図１に示されるケーブル接続アダプタ装置２１にあっては、全てのソケットコネクタ２６について、それに近接する位置に１個の薄型発光素子２９が配されているが、本願発明の第１の態様に係るケーブル接続アダプタ装置は、斯かる例には限られず、それに近接する位置に薄型発光素子が配されないソケットコネクタがあってもよい。要は、例えば、複数個の薄型発光素子２９とされる複数個の薄型発光素子の各々が、例えば、複数個のソケットコネクタ２６とされる複数個のソケットコネクタのうちのいずれかに近接する位置をとる状態におかれればよい。
【００４５】
また、図１に示されるケーブル接続アダプタ装置２１にあっては、プリント配線基板２８のアダプタ本体部２７への取付けが、プリント配線基板２８がアダプタ本体部２７の外面部２７ａに両面接着テープ３２によって接着されることによりなされているが、プリント配線基板２８のアダプタ本体部２７への取付けにあたり、両面接着テープ３２に代えて他の接着手段が用いられ、それによってプリント配線基板２８がアダプタ本体部２７の外面部２７ａに接着されてもよい。さらに、図１に示されるケーブル接続アダプタ装置２１にあっては、プリント配線基板２８における複数個の薄型発光素子２９が固着された面が、アダプタ本体部２７の外面部２７ａに接着されているが、プリント配線基板２８における複数個の薄型発光素子２９が固着された面ではない面が、アダプタ本体部２７の外面部２７ａに接着される場合も考えられる。
【実施例２】
【００４６】
図６は、本願発明の第２の態様に係る配線盤装置の一例を示す。
【００４７】
図６に示される本願発明の第２の態様に係る配線盤装置の一例である配線盤装置４１は、図１に示される本願発明の第１の態様に係るケーブル接続アダプタ装置の一例であるケーブル接続アダプタ装置２１が、複数個、例えば、１６個、同一方向を向くように揃えられ、各々のアダプタ本体部２７に設けられた複数個のソケットコネクタ２６における夫々の開口部を同一方向に向けた状態をもって、夫々の幅方向に順次隣接配置されることにより構成されている。従って、図６に関わる説明におけるケーブル接続アダプタ装置２１は、図１〜図５に示されるケーブル接続アダプタ装置２１である。そして、順次隣接配置された複数個のケーブル接続アダプタ装置２１は、夫々におけるアダプタ本体部２７に設けられた複数個のソケットコネクタ２６の各々の開口部が、全て実質的に同一平面内におかれることになる位置に配される。
【００４８】
順次隣接配置された複数個のケーブル接続アダプタ装置２１における配列ピッチｐは、例えば、１１ｍｍとされる。それにより、相互隣接する２個のケーブル接続アダプタ装置２１にあっては、夫々が有するアダプタ本体部２７の幅寸法が、例えば、９．８ｍｍとされるので、夫々が有するアダプタ本体部２７の間に、例えば、１１−９．８＝１．２ｍｍとされる間隙が形成されていることになる。そして、この間隙に、相互隣接する２個のケーブル接続アダプタ装置２１のうちの一つが有するアダプタ本体部２７に取り付けられている、複数個の薄型発光素子２９が固着されたプリント配線基板２８が、若干の空隙を残して配されている。斯かる複数個の薄型発光素子２９が固着されたプリント配線基板２８は、固着された複数個の薄型発光素子２９を含めた全体の厚みが、例えば、０．９ｍｍとされるものであるので、上述のように例えば、１．２ｍｍとされる空隙に納まるのである。
【００４９】
なお、順次隣接配置された複数個のケーブル接続アダプタ装置２１のうちの両端部に配されたものの一方は、それが有するアダプタ本体部２７に取り付けられたプリント配線基板２８が、外部に臨むものとされる。
【００５０】
このようにして、複数個のケーブル接続アダプタ装置２１が順次隣接配置されて構成されることにより、多数のソケットコネクタ２６が、各ケーブル接続アダプタ装置２１の高さ方向及び幅方向に高密度配列配置された状態が得られている。そして、高密度配列配置された多数のソケットコネクタ２６の夫々に近接する位置に、各ケーブル接続アダプタ装置２１が有するプリント配線基板２８に固着された複数個の薄型発光素子２９のうちの一つが配されている。
【００５１】
上述のようにして構成されている配線盤装置４１は、それを構成する複数個のケーブル接続アダプタ装置２１の夫々が有するプリント配線基板２８の端子部３０が、例えば、各プリント配線基板２８に固着された複数個の薄型発光素子２９の動作制御を行うための制御基板（図示されていない）に電気的に接続されて使用される。そして、使用状態のもとで、例えば、前述の図１に示される光通信ケーブル２２とされる、それに接続されるべき光通信ケーブルが特定されると、高密度配列配置された多数のソケットコネクタ２６のうちの、その特定された光通信ケーブルの端部を成す、例えば、前述の図１に示されるプラグコネクタ２４とされるプラグコネクタが差し込まれるべき、当該光通信ケーブルに対応するものが定められ、その定められた対応するソケットコネクタ２６に近接する位置をとる薄型発光素子２９が発光せしめられる。それにより、特定された光通信ケーブルの端部を成すプラグコネクタが差し込まれるべきソケットコネクタ２６が、それに近接する位置をとる薄型発光素子２９によって識別可能に明示され、当該薄型発光素子２９が、それに対応するソケットコネクタ２６、即ち、特定された光通信ケーブルの端部を成すプラグコネクタが差し込まれるべきソケットコネクタ２９についての指標となる。
【００５２】
従って、配線盤装置４１が使用されるもとでは、特定された光通信ケーブルの端部を成すプラグコネクタを、高密度配列配置された多数のソケットコネクタ２６のうちの対応するものに差し込む作業を、迅速かつ間違いなく行うことができることになる。
【００５３】
なお、図６に示される配線盤装置４１にあっては、高密度配列配置された全てのソケットコネクタ２６について、それに近接する位置に１個の薄型発光素子２９が配されているが、本願発明の第２の態様に係る配線盤装置は、斯かる例には限られず、それに近接する位置に薄型発光素子が配されないソケットコネクタがあってもよい。要は、複数個の薄型発光素子の各々が、高密度配列配置された多数のソケットコネクタのうちのいずれかに近接する位置をとる状態におかれればよい。
【００５４】
また、図６に示される配線盤装置４１にあっては、各ケーブル接続アダプタ装置２１におけるプリント配線基板２８のアダプタ本体部２７への取付けが、プリント配線基板２８がアダプタ本体部２７の外面部２７ａに両面接着テープ３２によって接着されることによりなされているが、各ケーブル接続アダプタ装置２１が、プリント配線基板２８のアダプタ本体部２７への取付けにあたり、両面接着テープ３２に代えて他の接着手段が用いられ、それによってプリント配線基板２８がアダプタ本体部２７の外面部２７ａに接着されたものとされてもよい。さらに、図６に示される配線盤装置４１にあっては、各ケーブル接続アダプタ装置２１において、プリント配線基板２８における複数個の薄型発光素子２９が固着された面が、アダプタ本体部２７の外面部２７ａに接着されているが、プリント配線基板２８における複数個の薄型発光素子２９が固着された面ではない面が、アダプタ本体部２７の外面部２７ａに接着される場合も考えられる。
【実施例３】
【００５５】
図７は、本願発明の第３の態様に係る配線盤装置の一例を示す。
【００５６】
図７に示される本願発明の第３の態様に係る配線盤装置の一例である配線盤装置５１は、図１に示される本願発明の第１の態様に係るケーブル接続アダプタ装置の一例であるケーブル接続アダプタ装置２１と、各々が前述の図３に示されるアダプタ本体部２７と同様に構成されたアダプタ本体部５２を備えるものとされた、複数個、例えば、１５個のケーブル接続アダプタ装置５３とを含んで構成されている。従って、図７に関わる説明におけるケーブル接続アダプタ装置２１も、図１〜図５に示されるケーブル接続アダプタ装置２１である。複数個のケーブル接続アダプタ装置５３の各々が備えるアダプタ本体部５２には、アダプタ本体部２７に設けられる複数のソケットコネクタ２６と同様の複数のソケットコネクタ５４が、一列を成すように配列配置されて設けられている。
【００５７】
配線盤装置５１を構成するケーブル接続アダプタ装置２１と複数個のケーブル接続アダプタ装置５３とは、同一方向を向くように揃えられ、ケーブル接続アダプタ装置２１が有するアダプタ本体部２７に設けられた複数個のソケットコネクタ２６の夫々の開口部、及び、各ケーブル接続アダプタ装置５３が備えるアダプタ本体部５２に設けられた複数個のソケットコネクタ５４の夫々の開口部を、同一方向に向けた状態をもって、夫々の幅方向に順次隣接配置されている。そして、順次隣接配置されたケーブル接続アダプタ装置２１及び複数個のケーブル接続アダプタ装置５３は、ケーブル接続アダプタ装置２１における複数個のソケットコネクタ２６の夫々の開口部、及び、各ケーブル接続アダプタ装置５３における複数個のソケットコネクタ５４の夫々の開口部が、全て実質的に同一平面内におかれることになる位置に配される。これらの順次隣接配置されたケーブル接続アダプタ装置２１及び複数個のケーブル接続アダプタ装置５３における配列ピッチｐ’は、例えば、１１ｍｍとされる。
【００５８】
ケーブル接続アダプタ装置２１は、配線盤装置５１の一端部に位置するものとされており、それが有するアダプタ本体部２７に取り付けられたプリント配線基板２８が、外部に臨んでいる。
【００５９】
また、順次隣接配置されたケーブル接続アダプタ装置２１及び複数個のケーブル接続アダプタ装置５３は、ケーブル接続アダプタ装置２１が有するアダプタ本体部２７及び各ケーブル接続アダプタ装置５３が有するアダプタ本体部５２の夫々に、ケーブル接続アダプタ装置２１における複数個のソケットコネクタ２６のうちの一端部に位置するものに近接する位置、及び、各ケーブル接続アダプタ装置５３における複数個のソケットコネクタ５４のうちの一端部に位置するものに近接する位置をとる、複数個の発光素子５５が設けられたものとされている。これらの発光素子５５は、ケーブル接続アダプタ装置２１が有するプリント配線基板２８に配列配置されて固着された複数個の薄型発光素子２９の配列方向に対して実質的に直交する方向の配列を形成している。斯かる複数の発光素子５５の各々も、例えば、発光ダイオードとされる。
【００６０】
このようにして、ケーブル接続アダプタ装置２１と複数個のケーブル接続アダプタ装置５３とが順次隣接配置されて構成されることにより、多数のソケットコネクタ２６及び５４が、ケーブル接続アダプタ装置２１及び各ケーブル接続アダプタ装置５３の高さ方向及び配列方向（幅方向）に高密度配列配置された状態が得られている。そして、ケーブル接続アダプタ装置２１の高さ方向に配列配置された複数のソケットコネクタ２６の夫々に近接する位置に、ケーブル接続アダプタ装置２１が有するプリント配線基板２８に固着された複数個の薄型発光素子２９のうちの一つが配されている。また、ケーブル接続アダプタ装置２１及び各ケーブル接続アダプタ装置５３の配列方向に配列配置されることになる、ケーブル接続アダプタ装置２１における複数個のソケットコネクタ２６のうちの一端部に位置するもの、及び、各ケーブル接続アダプタ装置５３における複数個のソケットコネクタ５４のうちの一端部に位置するものの夫々に近接する位置に、複数個の発光素子５５のうちの一つが配されている。
【００６１】
そして、ケーブル接続アダプタ装置２１に設けられた複数個の薄型発光素子２９の夫々が、発光するとき、ケーブル接続アダプタ装置２１及び複数個のケーブル接続アダプタ装置５３の配列方向におけるソケットコネクタ２６及び５４の列を識別可能に明示する、そのソケットコネクタ２６及び５４の列についての指標となる。また、ケーブル接続アダプタ装置２１が有するアダプタ本体部２７及び各ケーブル接続アダプタ装置５３が有するアダプタ本体部５２の夫々に配された複数個の発光素子５５の夫々が、発光するとき、それが設けられたケーブル接続アダプタ装置２１もしくはケーブル接続アダプタ装置５３を識別可能に明示する、ケーブル接続アダプタ装置２１もしくはケーブル接続アダプタ装置５３についての指標となる。斯かる複数個の発光素子５５は、発光色を異にするものを含んだものとされてもよく、その際には、例えば、ケーブル接続アダプタ装置２１及び複数のケーブル接続アダプタ装置５３のうちの奇数番目のものに夫々対応する発光素子５５と、ケーブル接続アダプタ装置２１及び複数のケーブル接続アダプタ装置５３のうちの偶数番目のものに夫々対応する発光素子５５とが、発光色を互いに異にするものとされる。その結果、ケーブル接続アダプタ装置２１に設けられた複数個の薄型発光素子２９の夫々及びケーブル接続アダプタ装置２１及び複数個のケーブル接続アダプタ装置５３の夫々に設けられた発光素子５５が、発光するとき高密度配列配置された多数のソケットコネクタ２６及び５４のうちの両者に対応するものを識別可能に明示する、当該ソケットコネクタ２６及び５４についての指標となる。
【００６２】
上述のようにして構成されている配線盤装置５１は、ケーブル接続アダプタ装置２１に設けられた複数個の薄型発光素子２９の夫々及びケーブル接続アダプタ装置２１及び複数個のケーブル接続アダプタ装置５３の夫々に設けられた発光素子５５が、例えば、それらの動作制御を行うための制御基板（図示されていない）に電気的に接続されて使用される。そして、使用状態のもとで、例えば、前述の図１に示される光通信ケーブル２２とされる、それに接続されるべき光通信ケーブルが特定されると、高密度配列配置された多数のソケットコネクタ２６及び５４のうちの、その特定された光通信ケーブルの端部を成す、例えば、前述の図１に示されるプラグコネクタ２４とされるプラグコネクタが差し込まれるべき、当該光通信ケーブルに対応するものが定められ、その定められたソケットコネクタ２６もしくはソケットコネクタ５４を含んだ、ケーブル接続アダプタ装置２１及び複数個のケーブル接続アダプタ装置５３の配列方向におけるソケットコネクタ２６及び５４の列、に対応する薄型発光素子２９が発光せしめられるとともに、定められたソケットコネクタ２６もしくはソケットコネクタ５４を含んだケーブル接続アダプタ装置２１もしくはケーブル接続アダプタ装置５３、に対応する発光素子５５が発光せしめられる。
【００６３】
それにより、特定された光通信ケーブルの端部を成すプラグコネクタが差し込まれるべきソケットコネクタ２６もしくはソケットコネクタ５４が、薄型発光素子２９と発光素子５５とによって識別可能に明示され、当該薄型発光素子２９と発光素子５５とが、それに対応するソケットコネクタ２６もしくはソケットコネクタ５４、即ち、特定された光通信ケーブルの端部を成すプラグコネクタが差し込まれるべきソケットコネクタ２６もしくはソケットコネクタ５４についての指標となる。
【００６４】
従って、配線盤装置５１が使用されるもとでは、特定された光通信ケーブルの端部を成すプラグコネクタを、高密度配列配置された多数のソケットコネクタ２６及び５４のうちの対応するものに差し込む作業を、迅速かつ間違いなく行うことができることになる。
【００６５】
なお、図７に示される配線盤装置５１にあっては、ケーブル接続アダプタ装置２１において、全てのソケットコネクタ２６について、それに近接する位置に１個の薄型発光素子２９が配されているが、ケーブル接続アダプタ装置２１において、それに近接する位置に薄型発光素子２９が配されないソケットコネクタ２６があってもよい。要は、複数個の薄型発光素子の各々が、配列配置された複数のソケットコネクタのうちのいずれかに近接する位置をとる状態におかれればよい。
【００６６】
また、図７に示される配線盤装置５１にあっては、ケーブル接続アダプタ装置２１におけるプリント配線基板２８のアダプタ本体部２７への取付けが、プリント配線基板２８がアダプタ本体部２７の外面部２７ａに両面接着テープ３２によって接着されることによりなされているが、ケーブル接続アダプタ装置２１が、プリント配線基板２８のアダプタ本体部２７への取付けにあたり、両面接着テープ３２に代えて他の接着手段が用いられ、それによってプリント配線基板２８がアダプタ本体部２７の外面部２７ａに接着されたものとされてもよい。さらに、図７に示される配線盤装置５１にあっては、ケーブル接続アダプタ装置２１において、プリント配線基板２８における複数個の薄型発光素子２９が固着された面が、アダプタ本体部２７の外面部２７ａに接着されているが、プリント配線基板２８における複数個の薄型発光素子２９が固着された面ではない面が、アダプタ本体部２７の外面部２７ａに接着される場合も考えられる。
【００６７】
さらに、図７に示される配線盤装置５１にあっては、ケーブル接続アダプタ装置２１が、ケーブル接続アダプタ装置２１及び各ケーブル接続アダプタ装置５３の配列方向における一端部に配されている。しかしながら、ケーブル接続アダプタ装置２１は、配線盤装置５１におけるケーブル接続アダプタ装置２１及び各ケーブル接続アダプタ装置５３の配列方向における両端部に夫々配されてもよく、また、ケーブル接続アダプタ装置２１及び各ケーブル接続アダプタ装置５３の配列における中間部に、例えば、中央に１個、あるいは、所定の間隔をおいて複数個、というように配されてもよい。
【産業上の利用可能性】
【００６８】
以上のような本願発明の第１の態様に係るケーブル接続アダプタ装置は、外面部に複数個の発光素子が配列配置されることにより生じる寸法の拡大が極めて小なるものに抑えられ、多数のソケットコネクタの高密度配列配置を実現させる配線盤であって、特定されたケーブルの端部を成すプラグコネクタが差し込まれるべき、当該ケーブルに対応するソケットコネクタを識別可能に明示する発光素子を備えたものを構成することができるものとして、また、本願発明の第２の態様あるいは第３の態様に係る配線盤装置は、多数のソケットコネクタの高密度配列配置が実現され、特定されたケーブルの端部を成すプラグコネクタが差し込まれるべき、当該ケーブルに対応するソケットコネクタが、発光素子により識別可能に明示されることになるものとして、様々な情報通信等に関連して広く適用され得るものである。
【図面の簡単な説明】
【００６９】
【図１】本願発明の第１の態様に係るケーブル接続アダプタ装置の一例をそれに接続されるケーブルの一例と共に示す斜視図である。
【図２】図１における領域αを拡大してあらわす部分拡大図である。
【図３】図１に示される例についての構成を示す分解斜視図である。
【図４】図３における領域βを拡大してあらわす部分拡大図である。
【図５】図１に示される例におけるアダプタ本体部とプリント配線基板との配置関係を示す部分拡大図である。
【図６】本願発明の第２の態様に係る配線盤装置の一例を示す斜視図である。
【図７】本願発明の第３の態様に係る配線盤装置の一例を示す斜視図である。
【図８】従来のケーブル接続アダプタ装置の例を示す斜視図である。
【図９】従来の配線盤の例を示す斜視図である。
【符号の説明】
【００７０】
２１，５３・・・ケーブル接続アダプタ装置，  ２２・・・光通信ケーブル，  ２３・・・ケーブル本体，  ２４・・・プラグコネクタ，  ２６，５４・・・ソケットコネクタ，  ２７，５２・・・アダプタ本体部，  ２７ａ・・・外面部，  ２８・・・プリント配線基板，  ２９・・・薄型発光素子，  ３０・・・端子部，  ３１・・・溝部，  ３２・・・両面接着テープ，  ４１，５１・・・配線盤装置，  ５５・・・発光素子
【図１】
2007232960.tif 000003
【図２】
2007232960.tif 000004
【図３】
2007232960.tif 000005
【図４】
2007232960.tif 000006
【図５】
2007232960.tif 000007
【図６】
2007232960.tif 000008
【図７】
2007232960.tif 000009
【図８】
2007232960.tif 000010
【図９】
2007232960.tif 000011